(57)【要約】      （修正有）【課題】簡単に製作でき、かつ低コストで供給できる介護用握り具を提供する。【解決手段】天然繊維または合成繊維を単独または併用して織製した手袋を裁断して縫製した表装部材の内部に緩衝材を封入した手袋形の介護用握り具２であって、軍手編み手袋の指部を指仕切部２１、２４とし、掌の当接部２３が適度な厚みを維持するように緩衝材を封入して成形するとともに、掌の当接部に、緩衝材が移動して偏在するのを防止する止め部２５を設けた。【選択図】図２
0003198898.tif 000002
【実用新案登録請求の範囲】
【請求項１】
天然繊維または合成繊維を単独または併用して織製した手袋を裁断して縫製した表装部材の内部に、緩衝材を封入した手袋形の介護用握り具であって、前記天然繊維または合成繊維を単独または併用して織製した手袋の指部を指仕切部としたことを特徴とする手袋形の介護用握り具。
【請求項２】
天然繊維または合成繊維を単独または併用して織製した手袋を裁断して縫製した表装部材の内部に、緩衝材を封入した手袋形の介護用握り具が、前記緩衝材を封入して成形した掌の当接部に、前記掌の当接部が該緩衝材によって適度な厚みを維持し、かつ該緩衝材が移動して偏在するのを防止する機能を有する止め部を設けたことを特徴とする請求項１に記載する手袋形の介護用握り具。
【請求項３】
前記天然繊維または合成繊維を単独または併用して織製した手袋が、軍手編みされた手袋であることを特徴とする請求項１または２に記載する手袋形の介護用握り具。
【考案の詳細な説明】
【技術分野】
【０００１】
本考案は、手袋を加工した介護用品に関し、特に、脳梗塞、脳卒中などにより手の指が硬縮状態となったために、手が握られたままで動かせないような被介護者の手指の指間を広げたり、手の清潔を確保したり、手が動かせるようにリハビリしたりする時等に使用できる介護用品に関するものである。
【背景技術】
【０００２】
病気や事故などにより、手の指が硬直したり拘縮状態になることは知られている。手の指が硬直したり拘縮状態となると指が硬く握りしめられた状態となり、本人の意思で指を動かしたり、指を開くことができない。このため、指と指との間が付着して、汗をかいて手の清潔を保てなくなり、手がただれたり、手指の血液循環が悪くなったり、感染症に罹ることになるという問題があった。
【０００３】
このため、内部に緩衝材を封入し、外部を天然繊維または合成繊維を単独または併用して織製した布または不織布などにより、密閉状のほぼ円筒形に形成した握り部材の表面に、同じく帯状の布を二つ折り状に形成した仕切り部材を固着した握り具、いわゆるビーズスティックが提案されている（特許文献１）。また、弾性素材を天然素材や合成繊維による布状体による表装材で覆った握り具も提案されている（特許文献２）。さらには、仕切り部の架設部材と手首固定バンド部を設けた手袋形の手の介護用具も提案されている（特許文献３）。
【先行技術文献】
【特許文献】
【０００４】
【特許文献１】実開平７−３６１８号公報
【特許文献２】特開２００７−２８３０１２号公報
【特許文献３】実用新案登録第３１３２９４４号公報
【考案の概要】
【考案が解決しようとする課題】
【０００５】
しかしながら、特許文献１に提案されているビーズスティック、特許文献２に提案されている握り具、特許文献３に提案されている手袋形の手の介護用具は、いずれも用具を製作するための構成部材を個別に調達して縫製などにより組み合わせる必要がある。また用具を構成する部材を新たに設計する必要もあり、用具の製作コストが高くなるという問題があった。介護用の握り具は、清潔さを保つため頻繁に取り換え、洗濯する必要があるため、消耗が激しく用具コストはできるだけ廉価であることが望ましい。
【課題を解決するための手段】
【０００６】
本考案は、上記課題に鑑み、簡単に製作でき、かつ低コストで供給できる介護用握り具を提供するものであり、以下の態様を特徴とするものであり、該態様により上記課題を解決できる。
【０００７】
（態様１）  天然繊維または合成繊維を単独または併用して織製した手袋を裁断して縫製した表装部材の内部に緩衝材を封入した手袋形の介護用握り具であって、前記天然繊維または合成繊維を単独または併用して織製した手袋の指部を指仕切部としたことを特徴とする手袋形の介護用握り具である。織製した手袋、例えば市販されている手袋を裁断して縫製して表装部材とすることで、簡単に製作でき、かつ低コストで提供できるからである。
【０００８】
（態様２）  天然繊維または合成繊維を単独または併用して織製した手袋を裁断して縫製した表装部材の内部に緩衝材を封入した手袋形の介護用握り具が、前記緩衝材を封入して成形した掌の当接部に、前記掌の当接部が該緩衝材によって適度な厚みを維持し、かつ該緩衝材が移動して偏在するのを防止する機能を有する止め部を設けたことを特徴とする前記（態様１）に記載する手袋形の介護用握り具である。介護用握り具としての機能を維持するためである。
（態様３）  前記天然繊維または合成繊維を単独または併用して織製した手袋が軍手編みされた手袋であることを特徴とする前記（態様１）または（態様２）に記載する手袋形の介護用握り具である。軍手編みされた布は、伸縮性に優れるため、内部に緩衝材を入れるのが容易である。また、軍手編みされた手袋は、左右の区別がなく、丈夫で、機械加工生産により安価に入手でき、低コストで供給できる介護用握り具の製作に資するからである。
【考案の効果】
【０００９】
本考案の手袋形の介護用握り具には、以下の利点がある。すなわち、市販されている軍手などの廉価な素材を表装部材として転用することで、清潔さを保つため頻繁に取り換え、洗濯する必要があり、消耗が激しい介護用握り具を、簡易、かつ廉価に提供できる。また、肌触り、通気性に優れる軍手編み素材を表装部材として採用することで、被介護者のリハビリの効用が高くなる。
【図面の簡単な説明】
【００１０】
【図１】本考案に係る手袋形の介護用握り具の製作に用いる天然繊維または合成繊維を単独または併用して織製した手袋とその裁断箇所を示した説明図である。
【図２】本考案に係る手袋形の介護用握り具を示した説明図である。
【図３Ａ】本考案に係る手袋形の介護用握り具に被介護者の手を装着した状態を握り具側から示した説明図である。
【図３Ｂ】本考案に係る手袋形の介護用握り具に被介護者の手を装着した状態を被介護者の手の側から示した説明図である。
【考案を実施するための形態】
【００１１】
以下、本考案の実施態様を図１乃至図３で説明する。
【００１２】
図１は、本考案に係る手袋形の介護用握り具（図２）の製作に用いる天然繊維または合成繊維を単独または併用して織製した手袋（以下、「織製手袋」という。）と織製手袋１の裁断箇所を示した説明図である。図１に従って本考案に係る手袋形の介護用握り具（図２）の製作手順を説明する。（１）織製手袋１を裏返しにして、破線で表示した裁断箇所の内側を縫製した後、裁断箇所を裁断する。（２）裁断した縫製手袋１を表返しにして、小指部分を中に入れて縫製する。これを本考案に係る表装部材とする。（３）表装部材の裁断した手首部分から緩衝材（例、綿など）を入れる。（３）表装部材において、縫製手袋１の人差し指、中指、薬指に該当する部分を表装部材の外側から糸などを用いて結束する。本結束を行うことで、手袋形の介護用握り具（図２）の指挿入部２２に被介護者の指を入れやすく、かつ入れた被介護者の指が安定する。（５）成形した手袋形の介護用握り具の掌の当接部において、表装部材の外側から通糸した針を使って止め部を縫製して作製する。止め部は、手袋形の介護用握り具の掌の当接部に入れた緩衝材が適当な厚みを維持し、かつ該緩衝材が移動して偏在するのを防止する。
【００１３】
図２は、本考案に係る手袋形の介護用握り具２を示した説明図である。本考案に係る手袋形の介護用握り具２は、被介護者の指と指の間に介装されて指と指を仕切る指仕切部２１、と指仕切部２１の間の被介護者の指を挿入する指挿入部２２、被介護者の掌が当接する掌の当接部２３、手袋形の介護用握り具２を介護者が被介護者に装着する場合に介護者が持つ把持部を兼ねる指仕切部２４、掌の当接部２３において、前記掌の当接部が該緩衝材によって適度な厚みを維持し、かつ該緩衝材が移動して偏在するのを防止する機能を有する止め部２５、で構成されている。なお、指仕切部２１は、３本で構成されている。また、止め部２５の数は任意である。
【００１４】
本考案の織製手袋としては、木綿、麻等の天然繊維、ナイロン、弾性ポリウレタン、ポリエステル、ビニロン、アクリル、ポリプロピレン等の合成繊維、又はこれらの混紡繊維から形成されるものであって、好ましくは高い伸縮性を有するように軍手編み（メリヤス編み）した手袋が好ましい。また、吸水性の高い天然繊維、合成繊維の比率の高いものが好ましい。軍手編みは、糸を湾曲させた形状のループを横方向または縦方向に連結させた布地であり、肌触り、通気性に優れるからである。
【００１５】
本考案の織製手袋を裁断して縫製した表装部材の内部に封入する緩衝材としては、被介護者の指を挟み込ませることができる柔軟さと、表装部材の膨らみを保持できる硬さとを併せ持つ素材が好ましい。具体的には、綿、ガーゼ、スポンジ、ビーズ、樹脂の小片がある。
【００１６】
図３は、本考案に係る手袋形の介護用握り具に被介護者の手を装着した状態を示した説明図であり、装着した状態を握り具側（図３Ａ）から、被介護者の手の側（図３Ｂ）からそれぞれ示した説明図である。適度な膨らみを有することにより、被介護者の指、掌が本考案に係る手袋形の介護用握り具に適切に装着される。このため、被介護者は、その指を折り曲げたり、伸ばしたりして手指のリハビリを行うことができる。
【産業上の利用可能性】
【００１７】
廉価で装着性の優れる介護用握り具として用いることができる。
【符号の説明】
【００１８】
１  織製手袋
２  手袋形の介護用握り具
２１  指仕切部
２２  指挿入部
２３  掌の当接部
２４  把持部を兼ねる指仕切部
２５  止め部
３  被介護者の手
【図１】
0003198898.tif 000003
【図２】
0003198898.tif 000004
【図３Ａ】
0003198898.tif 000005
【図３Ｂ】
0003198898.tif 000006
【手続補正書】
【提出日】平成27年6月3日(2015.6.3)
【手続補正１】
【補正対象書類名】実用新案登録請求の範囲
【補正対象項目名】全文
【補正方法】変更
【補正の内容】
【実用新案登録請求の範囲】
【請求項１】
天然繊維または合成繊維を単独または併用して織製した手袋を裁断して縫製した表装部材の内部に、緩衝材を封入した手袋形の介護用握り具であって、前記天然繊維または合成繊維を単独または併用して織製した手袋の指部を指仕切部としたことを特徴とする手袋形の介護用握り具。
【請求項２】
天然繊維または合成繊維を単独または併用して織製した手袋を裁断して縫製した表装部材の内部に、緩衝材を封入した手袋形の介護用握り具が、前記緩衝材を封入して成形した掌の当接部に、前記掌の当接部が該緩衝材によって適度な厚みを維持し、かつ該緩衝材が移動して偏在するのを防止する機能を有する前記表装部材と前記緩衝材とを縫製して形成した止め部を設けたことを特徴とする請求項１に記載する手袋形の介護用握り具。
【請求項３】
前記天然繊維または合成繊維を単独または併用して織製した手袋が、軍手編みされた手袋であることを特徴とする請求項１または２に記載する手袋形の介護用握り具。
【手続補正２】
【補正対象書類名】明細書
【補正対象項目名】０００８
【補正方法】変更
【補正の内容】
【０００８】
（態様２）  天然繊維または合成繊維を単独または併用して織製した手袋を裁断して縫製した表装部材の内部に緩衝材を封入した手袋形の介護用握り具が、前記緩衝材を封入して成形した掌の当接部に、前記掌の当接部が該緩衝材によって適度な厚みを維持し、かつ該緩衝材が移動して偏在するのを防止する機能を有する前記表装部材と前記緩衝材とを縫製して形成した止め部を設けたことを特徴とする前記（態様１）に記載する手袋形の介護用握り具である。介護用握り具としての機能を維持するためである。
（態様３）  前記天然繊維または合成繊維を単独または併用して織製した手袋が軍手編みされた手袋であることを特徴とする前記（態様１）または（態様２）に記載する手袋形の介護用握り具である。軍手編みされた布は、伸縮性に優れるため、内部に緩衝材を入れるのが容易である。また、軍手編みされた手袋は、左右の区別がなく、丈夫で、機械加工生産により安価に入手でき、低コストで供給できる介護用握り具の製作に資するからである。